(57)【特許請求の範囲】
【請求項１】
トレーサビリティ情報を格納した端末記憶部を有する端末機器と、信号線を介して接続された複数の前記端末機器を監視制御する火災受信機とを備え、複数の前記端末機器は複数のグループに分けられ、前記火災受信機は複数のグループの内の所定のグループに属する端末機器の情報を収集するためにポーリング信号を送信し、所定のグループに属する端末機器はポーリング信号を受信すると状態情報をアドレスに基づきタイミングを計り、時分割で前記火災受信機に返送する火災報知設備において、
トレーサビリティ情報収集の操作をされると、前記ポーリング信号の合間に、一つの端末機器の制御を行うアドレス情報と制御命令で構成されるセレクティング信号で前記端末機器にトレーサビリティ情報の送信命令を所定アドレス分ずつ送信する受信機送受信部を前記火災受信機に設け、該送信命令を受信すると前記端末記憶部に格納されたトレーサビリティ情報を前記火災受信機に返送する端末送受信部を前記端末機器に設けたことを特徴とする火災報知設備。
【請求項２】
前記端末機器の１つである感知器用中継器は、感知器回線を介して複数のトレーサビリティ情報を格納した感知器記憶部を有する火災感知器が接続され、
前記火災受信機から前記トレーサビリティ情報の送信命令を受信すると、前記火災感知器にトレーサビリティ情報の送信命令を送信する送信部を前記感知器用中継器に設け、該送信命令を受信すると前記感知器記憶部に格納されたトレーサビリティ情報を前記感知器用中継器に返送する火災送信部を前記火災感知器に設けたことを特徴とする請求項１記載の火災報知設備。
【請求項３】
前記感知器用中継器は、所定の数の火災感知器のトレーサビリティ情報を収集すると前記火災受信機に火災感知器のトレーサビリティ情報の収集完了を通知し、該通知を受信すると前記火災受信機は、前記感知器用中継器へ火災感知器のトレーサビリティ情報の送信命令を送信することを特徴とする請求項２記載の火災報知設備。
【発明の詳細な説明】
【技術分野】
【０００１】
本発明は、火災報知設備に関し、特に、火災受信機に信号線を介し、それぞれ異なるアドレスが与えられた火災感知器や中継器などの複数の端末機器が接続された火災報知設備に関するものである。
【背景技術】
【０００２】
製品に実装された部品の製造不良が判明した際に、どの製品に製造不良が発生した部品が実装されているか追跡するトレーサビリティという技術がある。製品を製造するときに、製品に実装された部品の製造に係わる情報であるロット番号や製造年月日等の製造情報を製品に記録することでトレーサビリティを行うことができる。また、別の方法として、製品に実装された部品の製造情報と製品自体のロット番号や製造年月日情報等を結びつけるデータベースにより、トレーサビリティを行うこともできる。従来、火災報知設備に用いられるトレーサビリティは、火災感知器等の端末機器に製造年月日情報を記録したＩＣチップを貼り付け、ＩＣリーダーを端末機器に近づけて、端末機器の製造年月日情報を読み取ることで行っていた（特許文献１参照）。
【先行技術文献】
【特許文献】
【０００３】
【特許文献１】特開平１０−１７７６９５号公報
【発明の概要】
【発明が解決しようとする課題】
【０００４】
しかしながら、従来の火災報知設備のトレーサビリティでは、作業者が端末機器の設置されている場所まで行って端末機器の製造年月日情報を読み取る必要があり、大規模の建物となると、数千個の単位で端末機器が設置されているため、全ての端末機器の製造年月日情報を取得するのに時間と労力がかかるという問題があった。
【課題を解決するための手段】
【０００５】
この発明は、トレーサビリティ情報を格納した端末記憶部を有する端末機器と、信号線を介して接続された複数の前記端末機器を監視制御する火災受信機とを備え、複数の前記端末機器は複数のグループに分けられ、前記火災受信機は複数のグループの内の所定のグループに属する端末機器の情報を収集するためにポーリング信号を送信し、所定のグループに属する端末機器はポーリング信号を受信すると状態情報をアドレスに基づきタイミングを計り、時分割で前記火災受信機に返送する火災報知設備において、トレーサビリティ情報収集の操作をされると、前記ポーリング信号の合間に、一つの端末機器の制御を行うアドレス情報と制御命令で構成されるセレクティング信号で前記端末機器にトレーサビリティ情報の送信命令を所定アドレス分ずつ送信する受信機送受信部を前記火災受信機に設け、該送信命令を受信すると前記端末記憶部に格納されたトレーサビリティ情報を前記火災受信機に返送する端末送受信部を前記端末機器に設けたことを特徴とする。
【発明の効果】
【０００６】
作業者が端末機器の設置場所まで行くことなく、信号線を介して通信により端末機器のトレーサビリティ情報である製造年月日情報を収集できるため、効率よくトレーサビリティ情報を収集することが可能である。
【図面の簡単な説明】
【０００７】
【図１】実施の形態１に係わる火災報知設備の構成を示すブロック図である。
【発明を実施するための形態】
【０００８】
（火災報知設備）
図１は、本実施の形態に係わる火災報知設備の構成を示す図である。
火災受信機ＦＡには、信号線ＳＧを介して、それぞれ異なるアドレスが付与された各種の端末機器が接続されている。端末機器としては、煙や熱により火災を検出する光電式アナログ感知器ＳＥ１や熱アナログ感知器ＳＥ２、火災を発見した人が操作して火災を通知するアドレッサブル発信機ＳＥ３、感知器用中継器ＦＲ、ベル用中継器Ｂ１および防排煙制御用中継器Ｃ１などがある。
【０００９】
また、感知器用中継器ＦＲには、火災感知器として自動試験機能付きの感知器Ｋ（ＡＴＦ感知器）が、感知器回線ＬＧを介して接続されている。またベル用中継器Ｂ１には、ベルＢが接続され、防排煙用中継器Ｃ１には、防火戸Ｃ１１や排煙機Ｃ１２やシャッタＣ１３やたれ壁Ｃ１４などの防排煙機器が接続されている。
【００１０】
（火災受信機ＦＡ）
火災受信機ＦＡは、受信機制御部１１と、表示操作部１２と、受信機記憶部１３と、受信機送受信部１４等から構成されている。この受信機制御部１１は、ＣＰＵ、タイマー等を含み火災受信機ＦＡの全体を制御する。表示操作部１２は、ＬＣＤ等の表示装置と様々な機能を実行するためのスイッチとを有し、火災発生情報や異常発生情報等の情報を表示し、スイッチが操作されたときには受信機制御部１１に機能を実行させる。受信機記憶部１３は、火災が発生した際に、火災を検出した端末機器に対応して連動させる（制御する）ベル用中継器や防排煙用中継器の関連付けしたデータベースを格納している。受信機送受信部１４は信号線ＳＧを介して端末機器と伝送を行い端末機器の状態の情報を収集したり、端末機器を制御したりする。
【００１１】
（端末機器）
端末機器について感知器用中継器ＦＲを例に説明する。
感知器用中継器ＦＲは、端末制御部２１と、端末送受信部２２と、端末記憶部２３と、送信部２４と、火災受信部２５等から構成されている。この端末制御部２１は、ＣＰＵ、タイマー等を含み感知器用中継器ＦＲの全体を制御する。端末送受信部２２は、信号線ＳＧを介して火災受信機ＦＡと接続されていて、火災受信機から伝送される制御命令を受信し、火災発生や異常発生等の端末機器の状態を返送する。端末記憶部２３には、自己のアドレス番号とトレーサビリティ情報として自己の製造年月日情報が格納されているほか、動作時に各種情報を一時的に格納する。送信部２４および火災受信部２５には、感知器回線ＬＧを介して、複数の火災感知器Ｋが接続されている。送信部２４は、感知器回線ＬＧの電圧を低下させるパルス信号を送信して火災感知器Ｋに制御命令を送信する。火災受信部２５は、火災感知器Ｋが送信する火災信号を検出する。
【００１２】
なお、各種の端末機器は、感知器用中継器ＦＲと同様に端末制御部２１と、端末送受信部２２と、端末記憶部２３とを備え、そのほかに各端末機器の機能に応じて、例えば、光電式アナログ感知器ＳＥ１であれば煙感知部を備え、熱アナログ感知器であれば熱感知部を備え、防排煙用中継器Ｃ１であれば防排煙機器制御部を備えており、端末制御部２１によって端末機器全体が制御されている。
【００１３】
（火災感知器Ｋ）
火災感知器Ｋは、感知器制御部３１と、感知器記憶部３２と、受信部３３と、火災送信部３４とから構成されている。この感知器制御部３１は、ＣＰＵ、タイマー等を含み火災感知器Ｋの全体を制御する。感知器記憶部３２には、アドレス番号およびトレーサビリティ情報として自己の製造年月日情報が格納されている。受信部３３は、感知器用中継器ＦＲからの制御命令を受信する。火災送信部３４は、図示しない煙感知部や熱感知部等のセンサ部により火災を検出したときに感知器回線ＬＧの電圧を低下させるオンオフ信号である火災信号を感知器用中継器ＦＲに送信する。また、火災送信部３４は、火災信号を所定の期間だけ送信して感知器回線ＬＧの電圧を所定の期間低下させるパルス信号により、感知器用中継器ＦＲからの制御命令に対する返送を行う。これにより、感知器用中継器ＦＲと火災感知器Ｋは、信号伝送を行う。
【００１４】
（信号伝送）
次に、火災受信機ＦＡと端末機器の信号伝送について説明する。なお、感知器用中継器ＦＲと火災感知器Ｋについても、同様の信号伝送を行っており、感知器用中継器ＦＲと火災感知器Ｋの信号伝送においては、感知器用中継器ＦＲが火災受信機ＦＡに該当し、火災感知器Ｋが端末機器に該当する。
【００１５】
信号線ＳＧを介して火災受信機ＦＡに複数接続されている端末機器は複数のグループに分けられ、火災受信機ＦＡは複数のグループのうちの所定のグループに属する端末機器の情報を収集するためにポーリング信号を送信する。所定のグループに属する端末機器は、ポーリング信号を受信すると、現在検出している煙量、温度、現在制御している端末機器、あるいは故障の有無等の各々の端末機器の機能に応じた状態情報を、付与されたアドレスに基づきタイミングを計り、時分割で火災受信機ＦＡに返送する。このようなポーリング信号を火災受信機ＦＡは、順次全てのグループに対して送信して、全ての端末機器から状態情報を収集する。
【００１６】
また、火災受信機ＦＡは、１つの端末機器の制御を行う場合には、セレクティング信号を送信する。セレクティング信号は、アドレス情報と制御命令で構成され、アドレス情報のアドレスが付与された端末機器は、セレクティング信号を受信すると、制御命令に従った動作を行う。
【００１７】
（火災時の動作）
火災受信機ＦＡは、ポーリング信号により収集した端末機器の状態情報の中に火災の発生を示す情報を検出すると、表示操作部１２に火災を検出した端末機器の設置場所等の情報を表示して火災警報を行う。また、火災受信機ＦＡは、受信機記憶部１３に格納されたデータベースに基づき、火災を検出した端末機器に関連付けられたベル用中継器Ｂ１や防排煙用中継器Ｃ１にセレクティング信号を送信して、ベルＢを鳴動させて周囲の人に避難を促したり、防火戸Ｃ１１等の防排煙機器を制御して火災の拡大を抑制したりする。
【００１８】
（端末機器のトレーサビリティ情報収集の動作）
火災受信機ＦＡの表示操作部１２で、作業者によりトレーサビリティ情報収集の操作をされると、トレーサビリティ情報の収集を開始する。トレーサビリティ情報の収集は、火災受信機ＦＡが、端末機器にトレーサビリティ情報の送信命令をセレクティング信号で送信することで行われる。端末機器は、セレクティング信号を受信すると、セレクティング信号に続けて、端末記憶部２３に格納されている製造年月日情報を火災受信機ＦＡに返信する。
【００１９】
トレーサビリティ情報の収集のためのセレクティング信号の送信は、ポーリング信号による端末機器の状態情報の収集の合間に、数アドレス分ずつ行われ、トレーサビリティ情報の収集中であっても端末機器の状態情報を収集することで火災の検出を継続している。
火災受信機ＦＡは、トレーサビリティ情報の収集中は、表示操作部１２に「トレーサビリティ情報収集中」の表示とともに、接続されている端末機器の数を分母とし、収集が完了した端末機器の数を分子として百分率で進行度合いを表示する。
【００２０】
火災受信機ＦＡは、全ての端末機器（および火災感知器Ｋ）のトレーサビリティ情報を収集すると、収集したトレーサビリティ情報を、「アドレス１＝平成２４年３月１５日製造」の様な表示を表示操作部１２に並べて表示する。この表示は、アドレスの番号順に並ぶように表示するほか、表示操作部１２の操作により、受信機制御部１１によって製造年月日の早い順番や遅い順番で並ぶように表示することもできる。
【００２１】
また、収集したトレーサビリティ情報は、火災受信機ＦＡの受信機記憶部１３に格納され、ＵＳＢメモリやパーソナルコンピュータを接続することにより、受信機記憶部１３から外部に出力することができる。
なお、トレーサビリティ情報の収集は、１つのアドレスを指定したり、アドレスの範囲を指定したりすることにより、特定の端末機器のトレーサビリティ情報のみを収集することもできる。
【００２２】
（火災感知器のトレーサビリティ情報収集の動作）
感知器用中継器ＦＲは、火災受信機ＦＡからトレーサビリティ情報収集のセレクティング信号を受信すると、セレクティング信号に続けて、端末記憶部２３に格納されている自己の製造年月日情報を火災受信機ＦＡに返信するとともに、火災感知器Ｋのトレーサビリティ情報の収集を開始する。
【００２３】
感知器用中継器ＦＲは、火災受信機ＦＡが端末機器のトレーサビリティ情報の収集を行うときと同様に、火災感知器Ｋにトレーサビリティ情報の送信命令をセレクティング信号で送信することで行われ、火災感知器Ｋは、セレクティング信号を受信すると、セレクティング信号に続けて、感知器記憶部３２に格納されている製造年月日情報を感知器用中継器ＦＲに返信する。
【００２４】
感知器用中継器ＦＲは、火災感知器Ｋのトレーサビリティ情報を端末記憶部２３に格納し、所定の数（以下、所定の数が「５」の場合を例に説明する。）であるアドレス１〜５の火災感知器Ｋのトレーサビリティ情報を収集すると、ポーリング信号への状態情報の返送でアドレス１〜５の火災感知器Ｋのトレーサビリティ情報の収集完了を通知する。火災受信機ＦＡは、トレーサビリティ情報収集済を検出すると、感知器用中継器ＦＲにアドレス１〜５の火災感知器Ｋのトレーサビリティ情報の送信命令をセレクティング信号で送信し、感知器用中継器ＦＲはそのセレクティング信号に続けてアドレス１〜５の火災感知器Ｋのトレーサビリティ情報を火災受信機ＦＡに返送するとともに、端末記憶部２３に格納したアドレス１〜５の火災感知器Ｋのトレーサビリティ情報を消去する。
【００２５】
感知器用中継器ＦＲは、順次アドレス６〜１０、アドレス１１〜１５、・・・、と火災感知器Ｋのトレーサビリティ情報を所定の数毎に収集して、上記の動作を接続されている全ての火災感知器Ｋのトレーサビリティ情報を火災受信機ＦＡに送信するまで続ける。このように、感知器用中継器ＦＲは、所定の数に分割して火災感知器Ｋのトレーサビリティ情報を収集し、火災受信機ＦＡに送信することで、接続されている全ての火災感知器Ｋのトレーサビリティ情報を端末記憶部２３に格納する必要が無いため、端末機億部２３の容量を少なくすることができる。
【００２６】
なお、上記の例では、アドレス１〜５のように具体的なアドレス情報に基づき、感知器用中継器ＦＲと火災受信機ＦＡの間で火災感知器Ｋのトレーサビリティ情報の収集を行う方法について説明したが、その方法に限定するものではない。例えば、感知器用中継器ＦＲは、所定の数の火災感知器Ｋのトレーサビリティ情報を収集すると、状態情報として収集完了を通知して、火災受信機ＦＡは、それが1回目の収集完了を通知するものであれば、その後、感知器用中継器ＦＲから収集した火災感知器Ｋのトレーサビリティ情報は、所定の数であるアドレス１〜５のものであると判断し、２回目であればアドレス６〜１０であると判断するように、収集した順番に応じてどのアドレスの火災感知器Ｋのトレーサビリティ情報かを判断するようにしても良い。
【００２７】
なお、本実施の形態では、トレーサビリティ情報として、製造年月日情報を収集したが、それに限定するものではなく、製造ロット情報等の他の製造に係わる情報であれば良い。
また、トレーサビリティ情報とともに、端末機器の種別情報である型名や型式番号を収集するようにしても良い。
【符号の説明】
【００２８】
ＦＡ  火災受信機、１１  受信機制御部、１２  表示操作部、１３  受信機記憶部、１４  受信機送受信部、ＳＧ  信号線、ＦＲ  感知器用中継器、２１  端末制御部、２２  端末送受信部、２３  端末記憶部  ２４  送信部、２５  火災受信部、ＬＧ  感知器回線、Ｋ  火災感知器、３１  感知器制御部、３２  感知器記憶部、３３  受信部、３４  火災送信部
【図１】
0006026125.tif 000002